【手続補正書】
【提出日】平成31年2月22日(2019.2.22)
【手続補正１】
【補正対象書類名】明細書
【補正対象項目名】０００７
【補正方法】変更
【補正の内容】
【０００７】
上記目的を達成するために、本発明の印刷システムは、印刷制御を実行する印刷制御装置と、用紙に画像を形成する画像形成装置とを備え、前記画像形成装置がＬＡＮケーブルによって前記印刷制御装置に接続される印刷システムであって、前記画像形成装置は、前記ＬＡＮケーブルに接続された第１のネットワークインターフェースと、アクセスポイントを提供し、一のＩＰアドレスを前記アクセスポイントにアクセスする外部端末に割り当てる第２のネットワークインターフェースと、を有し、前記印刷制御装置は、前記ＬＡＮケーブルに接続された第３のネットワークインターフェースと、特定のネットワークへの接続に使用される特定のＩＰアドレスが割り当てられる第４のネットワークインターフェースと、を有し前記画像形成装置は、前記印刷制御装置から前記特定のＩＰアドレスに関連するネットワーク情報を取得し、少なくとも前記ネットワーク情報に基づいて前記アクセスポイントにアクセスする前記外部端末へ割り当てられる前記一のＩＰアドレスを決定することを特徴とする。
【手続補正２】
【補正対象書類名】特許請求の範囲
【補正対象項目名】全文
【補正方法】変更
【補正の内容】
【特許請求の範囲】
【請求項１】
印刷制御を実行する印刷制御装置と、用紙に画像を形成する画像形成装置とを備え、前記画像形成装置がＬＡＮケーブルによって前記印刷制御装置に接続される印刷システムであって、
前記画像形成装置は、
前記ＬＡＮケーブルに接続された第１のネットワークインターフェースと、
アクセスポイントを提供し、一のＩＰアドレスを前記アクセスポイントにアクセスする外部端末に割り当てる第２のネットワークインターフェースと、を有し、
前記印刷制御装置は、
前記ＬＡＮケーブルに接続された第３のネットワークインターフェースと、
特定のネットワークへの接続に使用される特定のＩＰアドレスが割り当てられる第４のネットワークインターフェースと、を有し
前記画像形成装置は、前記印刷制御装置から前記特定のＩＰアドレスに関連するネットワーク情報を取得し、少なくとも前記ネットワーク情報に基づいて前記アクセスポイントにアクセスする前記外部端末へ割り当てられる前記一のＩＰアドレスを決定することを特徴とする印刷システム。
【請求項２】
用紙に画像を形成し、ＬＡＮケーブルによって印刷制御装置に接続される画像形成装置であって、
前記印刷制御装置は、
前記ＬＡＮケーブルに接続された第３のネットワークインターフェースと、
特定のネットワークへの接続に使用される特定のＩＰアドレスが割り当てられる第４のネットワークインターフェースと、を有し、
前記画像形成装置は、
前記ＬＡＮケーブルに接続された第１のネットワークインターフェースと、
アクセスポイントを提供し、一のＩＰアドレスを前記アクセスポイントにアクセスする外部端末に割り当てる第２のネットワークインターフェースと、を有し、
前記印刷制御装置から前記第４のネットワークインターフェースを用いて前記特定のＩＰアドレスに関連するネットワーク情報を取得し、少なくとも前記ネットワーク情報に基づいて、前記アクセスポイントにアクセスする前記外部端末へ割り当てられる前記一のＩＰアドレスを決定することを特徴とする画像形成装置。
【請求項３】
前記割り当てられると決定されたＩＰアドレスは、前記特定のＩＰアドレスのネットワークアドレス部分とは異なるネットワークアドレス部分を有するＩＰアドレスであることを特徴とする請求項２記載の画像形成装置。
【請求項４】
前記画像形成装置は少なくとも１つの制御部を有し、
前記印刷制御装置において前記特定のＩＰアドレスが変更された場合、前記少なくとも１つの制御部は、前記変更された特定のＩＰアドレスを取得し、少なくとも前記変更された特定のＩＰアドレスに基づいて、前記アクセスポイントにアクセスする前記外部端末に割り当てられるＩＰアドレスを決定することを特徴とする請求項２記載の画像形成装置。
【請求項５】
前記印刷制御装置において前記特定のＩＰアドレスが変更された場合、前記少なくとも１つの制御部は、前記変更された特定のＩＰアドレスを取得したタイミングで前記割り当てられるＩＰアドレスを変更する処理を実行することを特徴とする請求項４記載の画像形成装置。
【請求項６】
前記印刷制御装置において前記特定のＩＰアドレスが変更された場合、前記少なくとも１つの制御部は、前記変更された特定のＩＰアドレスを取得した後の前記画像形成装置のリスタートのタイミングで前記割り当てられるＩＰアドレスを変更する処理を実行することを特徴とする請求項４記載の画像形成装置。
【請求項７】
前記印刷制御装置において前記特定のＩＰアドレスが変更された場合、前記少なくとも１つの制御部は、前記変更された特定のＩＰアドレスを取得した後の前記外部端末との通信が終了したタイミングで前記割り当てられるＩＰアドレスを変更する処理を実行することを特徴とする請求項４記載の画像形成装置。
【請求項８】
前記画像形成装置は表示部を有し、
前記少なくとも１つの制御部は、前記割り当てられるＩＰアドレスが変更されるタイミングの設定が実行される設定画面を前記表示部に表示させることを特徴とする請求項４記載の画像形成装置。
【請求項９】
前記アクセスポイントはWi-Fi Directのグループオーナーであることを特徴とする請求項２記載の画像形成装置。
【請求項１０】
前記画像形成装置は印刷部と制御部をさらに有し、
前記制御部は、前記印刷制御装置又は前記外部端末から取得されたデータに基づいて画像データを前記印刷部に出力することを特徴とする請求項２記載の画像形成装置。
【請求項１１】
ＬＡＮケーブルに接続された第１のネットワークインターフェースと、アクセスポイントを提供し、一のＩＰアドレスを前記アクセスポイントにアクセスする外部端末に割り当てる第２のネットワークインターフェースとを有し、用紙に画像を形成し、前記ＬＡＮケーブルにより、前記ＬＡＮケーブルに接続された第３のネットワークインターフェースと、特定のネットワークへの接続に使用される特定のＩＰアドレスが割り当てられる第４のネットワークインターフェースと、を有する印刷制御装置に接続される画像形成装置の制御方法であって、
前記印刷制御装置から前記第４のネットワークインターフェースを用いて前記特定のＩＰアドレスに関連するネットワーク情報を取得し、
少なくとも前記ネットワーク情報に基づいて前記アクセスポイントにアクセスする前記外部端末へ割り当てられる前記一のＩＰアドレスを決定することを特徴とする画像形成装置の制御方法。
【請求項１２】
ＬＡＮケーブルに接続された第１のネットワークインターフェースと、アクセスポイントを提供し、一のＩＰアドレスを前記アクセスポイントにアクセスする外部端末に割り当てる第２のネットワークインターフェースとを有し、用紙に画像を形成し、前記ＬＡＮケーブルにより、前記ＬＡＮケーブルに接続された第３のネットワークインターフェースと、特定のネットワークへの接続に使用される特定のＩＰアドレスが割り当てられる第４のネットワークインターフェースと、を有する印刷制御装置に接続される画像形成装置の制御方法をコンピュータに実行させるプログラムであって、
前記制御方法は、
前記印刷制御装置から前記第４のネットワークインターフェースを用いて前記特定のＩＰアドレスに関連するネットワーク情報を取得し、
少なくとも前記ネットワーク情報に基づいて前記アクセスポイントにアクセスする前記外部端末へ割り当てられる前記一のＩＰアドレスを決定することを特徴とするプログラム。
【請求項１３】
印刷制御を実行する印刷制御装置と、用紙に画像を形成し、ＬＡＮケーブルによって前記印刷制御装置に接続される画像形成装置とを有する印刷システムであって、
前記画像形成装置は、
前記ＬＡＮケーブルに接続された第１のネットワークインターフェースと、
アクセスポイントを提供し、ＩＰアドレスを前記アクセスポイントにアクセスする外部端末に割り当てる第２のネットワークインターフェースと、
ユーザからの入力を受け付ける受付部と、
情報を表示する表示部と、を有し、
前記印刷制御装置は、
前記ＬＡＮケーブルに接続された第３のネットワークインターフェースと、
特定のネットワークへの接続に使用される第１のＩＰアドレスが割り当てられる第４のネットワークインターフェースと、を有し、
前記画像形成装置は、前記印刷制御装置から前記第１のＩＰアドレスに関連するネットワーク情報を取得し、前記受付部を介して前記第２のネットワークインターフェースに使用されるＩＰアドレスの候補としての第２のＩＰアドレスの入力操作を受け付け、少なくとも前記ネットワーク情報及び前記第２のＩＰアドレスに基づいて前記表示部に所定の通知を表示させるか否かを決定し、前記所定の通知を表示すべきとの決定に従って前記表示部に前記所定の通知を表示させることを特徴とする印刷システム。
【請求項１４】
用紙に画像を形成し、ＬＡＮケーブルにより、前記ＬＡＮケーブルに接続された第３のネットワークインターフェースと、特定のネットワークへの接続に使用される第１のＩＰアドレスが割り当てられる第４のネットワークインターフェースとを有する印刷制御装置に接続される画像形成装置であって、
前記第３のネットワークインターフェースと通信するために前記ＬＡＮケーブルに接続された第１のネットワークインターフェースと、
アクセスポイントを提供し、ＩＰアドレスを前記アクセスポイントにアクセスする外部端末に割り当てる第２のネットワークインターフェースと、
ユーザからの入力を受け付ける受付部と、
情報を表示する表示部と、を有し、
前記印刷制御装置から前記第１のＩＰアドレスに関連するネットワーク情報を取得し、
前記受付部を介して前記第２のネットワークインターフェースに使用されるＩＰアドレスの候補としての第２のＩＰアドレスの入力操作を受け付け、
少なくとも前記ネットワーク情報及び前記第２のＩＰアドレスに基づいて前記表示部に所定の通知を表示させるか否かを決定し、前記所定の通知を表示すべきとの決定に従って前記表示部に前記所定の通知を表示させることを特徴とする画像形成装置。
【請求項１５】
前記第２のＩＰアドレスのネットワークアドレス部分と、前記ネットワーク情報のネットワークアドレス部分との間の競合の発生に応じて前記表示部に前記所定の通知を表示させることを特徴とする請求項１４記載の画像形成装置。
【請求項１６】
前記所定の通知は、前記第２のネットワークインターフェースによって使用されるＩＰアドレスの候補の再入力を促す画面であることを特徴とする請求項１４記載の画像形成装置。
【請求項１７】
前記第２のＩＰアドレスの入力操作に応じて前記第１のＩＰアドレスについてのネットワーク情報を前記印刷制御装置から取得することを特徴とする請求項１４記載の画像形成装置。
【請求項１８】
前記アクセスポイントはWi-Fi Directのグループオーナーであることを特徴とする請求項１４記載の画像形成装置。
【請求項１９】
印刷部をさらに有し、
前記印刷制御装置又は前記外部端末から取得されたデータに基づいて画像データが前記印刷部に出力されることを特徴とする請求項１４記載の画像形成装置。